(57)【要約】【課題】ナースコール子機による呼び出しが行われた場合、呼び出し対象外の携帯端末で代理応答した看護師をいつでも特定することができるようにする。【解決手段】ＰＨＳ端末６０において、ハンド形子機４０からの自己宛以外の呼び出しに対して代理応答を行い、ナースコール親機１０において、代理応答に用いられたＰＨＳ端末６０の携帯端末情報を取得し、その取得した携帯端末情報を含む応答履歴情報を応答履歴情報記憶部１８０に記録することにより、ＰＨＳ端末６０とこれを使用する看護師とを１対１に関連付けた看護師情報を参照して、応答履歴情報記憶部１８０に記録された携帯端末情報から代理応答した看護師を特定できるようにする。【選択図】図１
2008236338.tif 000002
【特許請求の範囲】
【請求項１】
患者別のナースコール子機からの呼び出しに対して、ナースコール親機および看護師が携帯する携帯端末で応答通話できるナースコールシステムにおいて、
前記携帯端末は、ナースコール子機からの自己宛以外の呼び出しに対して代理応答を行う代理応答部を備え、
前記ナースコール親機は、代理応答に用いられた携帯端末を一意に特定する携帯端末情報を取得する携帯端末情報取得部と、
前記携帯端末情報取得部により取得された携帯端末情報またはテーブル情報により前記携帯端末情報に関連付けられた看護師情報を含む応答履歴情報を応答履歴情報記憶部に記録する情報記録部とを備えたことを特徴とするナースコールシステム。
【請求項２】
請求項１に記載のナースコールシステムにおいて、
前記代理応答部は、前記携帯端末の操作部の操作を通じて代理応答用の特番が入力された場合、前記代理応答を行う携帯端末と前記呼び出しを行ったナースコール子機との間のコネクションの確立要求を交換装置に送信し、
前記交換装置は、前記代理応答部により送信されたコネクションの確立要求を受信し、前記コネクションを確立することを特徴とするナースコールシステム。
【請求項３】
請求項１または２に記載のナースコールシステムにおいて、
前記ナースコール親機は、前記ナースコール子機を識別するための子機情報を取得する子機情報取得部と、
前記携帯端末の代理応答時刻を取得する代理応答時刻取得部とをさらに備え、
前記情報記録部は、前記携帯端末情報取得部により取得された前記携帯端末情報または前記看護師情報と、前記子機情報取得部により取得された前記子機情報または第２のテーブル情報により当該子機情報に関連付けられている患者情報と、前記代理応答時刻取得部により取得された代理応答時刻とを互いに関連付けて前記応答履歴情報記憶部に記録することを特徴とするナースコールシステム。
【発明の詳細な説明】
【技術分野】
【０００１】
本発明は、ナースコールシステムに関し、特に、患者別のナースコール子機からの呼び出しに対して、ナースコール親機および携帯端末で応答通話できるように成されたナースコールシステムに用いて好適なものである。
【背景技術】
【０００２】
一般に、病院や介護施設などでは、ナースコールシステムが用いられている。ナースコールシステムは、病院の患者が医師または看護師のサポートを必要とする際、または介護施設の被介護者が介護師のサポートを必要とする際に、患者や被介護者（以下、単に「患者」と言う）が呼出ボタン等を押下することによって医者、看護師または介護師（以下、単に「看護師」と言う）を呼び出すことができるように成されたシステムである。
【０００３】
多くのナースコールシステムは、ベッドサイドやトイレ、浴室などに設置するナースコール子機と、ナースセンタに設置するナースコール親機とを備えて構成されている。さらに、看護師が携帯するＰＨＳ（Ｐｅｒｓｏｎａｌ  Ｈａｎｄｙｐｈｏｎｅ  Ｓｙｓｔｅｍ）端末とＰＢＸ（Ｐｒｉｖａｔｅ  Ｂｒａｎｃｈ  Ｅｘｃｈａｎｇｅ：電話交換機）とを組み合わせたナースコールシステムも提案されている（例えば、特許文献１を参照）。
【特許文献１】特開平５−２５９９７４号公報
【０００４】
この種のナースコールシステムにおいて、患者がナースコール子機の呼出ボタンを押下して呼び出しを行うと、看護師は、自身が携帯するＰＨＳ端末や、ナースコール親機のハンドセット等によって応答する。なお、ＰＨＳ端末とそれを所持する看護師とを関連付けたテーブル情報が、ナースコール親機のメモリに記憶されている。つまり、ＰＨＳ端末とそれを所持する看護師とは１対１に対応しているので、患者からの呼び出しに対してＰＨＳ端末で応答した看護師をナースコール親機に応答履歴として記録することが可能である。
【０００５】
ところで、１人の患者に対して担当の看護師が決められていて、その関係がナースコール親機のテーブル情報により管理されている。そして、ある患者のナースコール子機から呼び出しが行われると、テーブル情報を参照して担当の看護師が特定され、担当の看護師のＰＨＳ端末に対して報知が行われる。そのため、患者からの呼び出しがあった場合、その呼び出し対象のＰＨＳ端末を所持している看護師が不在等であると、看護師が呼び出しに対して応答することができない。ただし、この場合でも、ナースコール親機にも同時に報知が行われているので、呼び出しを行っている患者の担当でない看護師が、ナースコール親機に設けられたハンドセットにてナースコール子機からの呼び出しに応答することができる。
【０００６】
なお、内線で接続されている複数台の電話機のうちの一部が呼び出し中となった場合、呼び出し中ではない電話機にて特番を入力することで代理応答を行うことができるようにした技術が提供されている（例えば、特許文献２を参照）。
【特許文献２】特開平６−６４６２号公報
【発明の開示】
【発明が解決しようとする課題】
【０００７】
しかしながら、上記特許文献１に記載の技術において、ナースコール親機のハンドセットは、不特定多数の看護師によって操作されるものなので、どの看護師が応答したかについての応答履歴をナースコール親機に記録することができないという問題があった。
【０００８】
また、上記特許文献２に記載の技術においても、代理応答を行う電話機は不特定多数のユーザによって操作されるものなので、どのユーザが代理応答したかについての応答履歴を記録することができないという問題があった。
【０００９】
本発明は、このような問題を解決するために成されたものであり、ナースコール子機による呼び出しが行われた場合、呼び出し対象外の携帯端末で代理応答した看護師を特定することができるようにすることを目的とする。
【課題を解決するための手段】
【００１０】
上記した課題を解決するために、本発明では、携帯端末において、ナースコール子機からの自己宛以外の呼び出しに対して代理応答を行い、ナースコール親機において、代理応答に用いられた携帯端末を一意に特定する携帯端末情報を取得し、その取得した携帯端末情報またはテーブル情報により当該携帯端末情報に関連付けられた看護師情報を含む応答履歴情報を記憶部に記録するようにしている。
【発明の効果】
【００１１】
上記のように構成した本発明によれば、ナースコール子機による呼び出しに対して呼び出し対象外の携帯端末にて代理応答した場合、その携帯端末を一意に特定する携帯端末情報がナースコール親機の記憶部に記録される。携帯端末情報に対応する携帯端末は不特定多数の看護師によって操作されるものでないため、ナースコール親機の記憶部に記録される携帯端末情報から、代理応答した看護師が特定されることとなる。これにより、呼び出し対象外の携帯端末で代理応答した看護師を特定することができる。
【発明を実施するための最良の形態】
【００１２】
以下、本発明の一実施形態を図面に基づいて説明する。図１は、本実施形態によるナースコールシステムの全体構成例を示す図である。なお、ここでは病院に設置される看護支援用のナースコールシステムを例にとって説明するが、本実施形態のナースコールシステムは、病院に設置されるものに限定されない。例えば、介護施設等に設置される場合にも適用可能である。
【００１３】
図１において、１０はナースコール親機であり、例えばナースセンタに設置される。このナースコール親機１０は、ハンドセット９０を備えている。このハンドセット９０は、患者からの呼び出しに対する応答の操作または患者の呼び出しの操作を行うためのものである。また、ナースコール親機１０は、呼び出し音により患者からの呼び出しを報知する報知部１００を備えている。
【００１４】
２０は病室毎に設置される廊下灯であり、病室内の患者名が表示されるとともに、病室内の患者が看護師の呼び出しを行うと、呼び出しが行われたことが表示されるようになっている。この廊下灯２０は、病室内の患者が看護師を呼び出したときに、廊下を歩いている看護師が応答するための復旧ボタンを備えている。
【００１５】
３０は壁埋込形子機（特許請求の範囲のナースコール子機に相当する）であり、病室の各ベッドサイドの壁に埋め込み設置される。この壁埋込形子機３０は、廊下灯２０に接続されている。４０はハンド形子機（特許請求の範囲のナースコール子機に相当する）であり、壁埋込形子機３０に接続される。壁埋込形子機３０は、患者が看護師を呼び出すための呼出ボタン、患者が呼び出されたときに応答するための復旧ボタン、患者が看護師と会話を行う際に使用するマイクとスピーカ、ハンド形子機４０を接続するための接続端子を備えている。ハンド形子機４０も壁埋込形子機３０と同様、呼出ボタン、マイクおよびスピーカを備えている。なお、壁埋込形子機３０がマイクおよびスピーカを備えている場合、その接続端子には、呼出ボタンのみを備えた握り押しボタン式子機を接続するようにしても良い。また、ハンド形子機４０がマイクおよびスピーカを備えている場合、壁埋込形子機３０にマイクおよびスピーカを設けないようにしても良い。本実施形態では、患者はハンド形子機４０を用いて呼び出しを行うものとする。
【００１６】
５０はハンディナースコール主装置（特許請求の範囲の交換装置に相当する）であり、例えば、構内のＰＨＳ端末対応の交換装置から構成されている。６０はＰＨＳ端末であり、ナースコール親機１０と接続されており、ハンド形子機４０との間で応答通話を行う。ハンディナースコール主装置５０は、各看護師が所持するＰＨＳ端末６０を用いた通話やデータの送受信に関する制御を行う機能を有する。本実施形態では、ハンディナースコール主装置５０は、病院内の通信センタに設置され、ナースコール親機１０と接続されている。７０はＰＨＳ端末６０と通信するための無線基地局である。
【００１７】
患者がハンド形子機４０の呼出ボタンを押すと、ハンド形子機４０、壁埋込形子機３０、廊下灯２０、ナースコール親機１０の順に信号が伝達され、ナースコール親機１０では部屋番号、ベッド番号、患者名などがディスプレイ２００に表示されるとともに、報知部１００により呼び出し音が鳴り、患者からの呼び出しを看護師に知らせる。
【００１８】
また、ナースコール親機１０は、呼び出しを行った患者の担当看護師として、当該患者に対応付けられた看護師を特定し、その看護師が所持するＰＨＳ端末６０をハンディナースコール主装置５０に対して指定する。なお、患者と担当看護師とを関連付けるテーブル情報が、ナースコール親機１０の患者情報記憶部１６０に記録されている。このテーブル情報は、ナースコール親機１０の操作パネル等に対する操作入力を通じて設定される。ハンディナースコール主装置５０がナースコール親機１０により指定されたＰＨＳ端末６０を無線基地局７０を経由して呼び出すことによって、ＰＨＳ端末６０の報知部２３０により呼び出し音が鳴る。看護師は、ナースコール親機１０またはＰＨＳ端末６０のどちらかで応答し、早く応答した方でハンド形子機４０を通じて患者との通話を開始することができる。
【００１９】
次に、ナースコール親機１０の内部構成について説明する。図１に示すように、ナースコール親機１０は、前述したハンドセット９０、報知部１００に加えて、インタフェース部１１０、応答検出部１２０、携帯端末情報取得部１３０、看護師情報記憶部１４０、子機情報取得部１５０、患者情報記憶部１６０、情報記録部１７０、応答履歴情報記憶部１８０、表示制御部１９０およびディスプレイ２００を備えて構成されている。
【００２０】
インターフェース部１１０は、廊下灯２０やハンディナースコール主装置５０との間で通話やデータの送受信を行う。例えば、インターフェース部１１０は、ＰＨＳ端末６０から無線基地局７０、ハンディナースコール主装置５０を介して送られてくるＰＨＳ端末６０の携帯端末情報を入力する。携帯端末情報は、患者からの呼び出しに対して応答したＰＨＳ端末６０をユニークに識別するための情報であり、例えば、ＰＨＳ端末６０の電話番号、携帯端末識別番号等が用いられる。
【００２１】
また、インターフェース部１１０は、廊下灯２０を介して送られてくる子機情報を入力する。すなわち、患者がハンド形子機４０の呼出ボタンを押下して看護師の呼び出しを行うと、当該呼び出しを行ったハンド形子機４０をユニークに識別するための子機情報が、廊下灯２０からナースコール親機１０に送られてくる。インターフェース部１１０は、この送られてきた子機情報を入力する。
【００２２】
応答検出部１２０は、ＰＨＳ端末６０が看護師によりオフフックされたか否かを検出する。すなわち、看護師が患者からの呼び出しに応答するためにＰＨＳ端末６０をオフフックすると、オフフックされたことを示す信号がインタフェース部１１０に入力される。応答検出部１２０は、この信号の有無を監視することによって、ＰＨＳ端末６０が看護師によりオフフックされたか否かを検出する。
【００２３】
応答検出部１２０はさらに、本発明による代理応答時刻取得部の機能も備えている。すなわち、応答検出部１２０は、ＰＨＳ端末６０の代理応答時刻を取得する。具体的には、応答検出部１２０は時計機能を備えており、ＰＨＳ端末６０が看護師によりオフフックされたことを示す信号がインタフェース部１１０を介して応答検出部１２０に入力されたときの時刻を時計機能より取得する。
【００２４】
携帯端末情報取得部１３０は、応答検出部１２０により検出された、ＰＨＳ端末６０がオフフックされたことを示す信号とは別に、インターフェース部１１０に入力されたＰＨＳ端末６０の携帯端末情報を取得する。看護師情報記憶部１４０は、個々のＰＨＳ端末６０に対してユニークに割り当てられた携帯端末情報と、そのＰＨＳ端末６０を所持する看護師をユニークに識別する情報（看護師情報）とを関連付けたテーブル情報を記憶している。ここで、看護師情報には、例えば、少なくとも看護師の氏名を示す情報が含まれており、その他に、所属するチーム名、所持するＰＨＳ端末６０を識別するための電話番号、携帯端末識別番号等の情報が含まれる。
【００２５】
子機情報取得部１５０は、インターフェース部１１０に入力された子機情報を取得する。患者情報記憶部１６０は、ハンド形子機４０に対してユニークに割り当てられた子機情報と、そのハンド形子機４０を使用する患者をユニークに識別する情報（患者情報）とを関連付けたテーブル情報を記憶している。ここで、患者情報には、例えば、少なくとも患者の氏名を示す情報が含まれており、その他に、生年月日、患者番号、診察番号、病室、ベッド番号、症状等の情報が含まれる。
【００２６】
情報記録部１７０は、応答検出部１２０によってＰＨＳ端末６０のオフフックが検出されたときに、携帯端末情報取得部１３０により取得された携帯端末情報に対して看護師情報記憶部１４０により関連付けられている看護師情報と、子機情報取得部１５０により取得された子機情報に対して患者情報記憶部１５０により関連付けられている患者情報と、応答検出部１２０により取得された看護師による応答時刻（ＰＨＳ端末６０の操作時刻）とを互いに関連付けて応答履歴情報記憶部１８０に記録する。
【００２７】
図２には、応答履歴情報記憶部１８０に記憶される情報の例を示す。図２に示すように、応答履歴情報には、応答時刻、看護師情報（本実施形態では、看護師の氏名）および患者情報（本実施形態では、患者の氏名）が項目情報として含まれる。
【００２８】
なお、応答履歴情報記憶部１８０に少なくとも看護師情報を記録しておけば、応答（代理応答を含む）を行った看護師を特定することができる。したがって、応答時刻や患者情報を関連付けて記録することは必須ではないが、応答時刻や患者情報も記録しておくと、呼び出しを行った患者を特定することができるとともに、その応答時刻も特定することができる。これにより、誰からの呼び出しに対して誰がいつ応答したのかを特定することができるので、より好ましい。
【００２９】
表示制御部１９０は、応答履歴情報記憶部１８０に記憶されている応答履歴情報（応答時刻、看護師情報、患者情報）を取得し、その取得した応答履歴情報をディスプレイ２００に表示するように制御する。
【００３０】
なお、本実施形態では、情報記録部１７０は、応答履歴情報として、応答時刻、看護師情報および患者情報を応答履歴情報記憶部１８０に記録する例について説明したが、記録内容はこれに限定されない。例えば、情報記録部１７０は、看護師情報の代わりに、携帯端末情報を応答履歴情報記憶部１８０に記録するようにしてもよい。また、情報記録部１７０は、患者情報の代わりに、子機情報を応答履歴情報記憶部１８０に記録するようにしてもよい。この場合、表示制御部１９０は、応答履歴情報として、応答時刻、携帯端末情報、子機情報を応答履歴情報記憶部１８０から取得し、その取得した応答履歴情報をディスプレイ２００に表示するように制御する。また、表示制御部１９０は、看護師情報記憶部１４０、患者情報記憶部１６０を直接参照することにより得られた看護師情報、患者情報をディスプレイ２００に表示するようにしてもよい。
【００３１】
次に、患者からのハンド形子機４０による呼び出しに対して応答を行うＰＨＳ端末６０の内部構成について説明する。ＰＨＳ端末６０は、操作部２１０と、代理応答部２２０と、前述した報知部２３０とを備えて構成されている。操作部２１０は、ＰＨＳ端末６０を所持する看護師による操作を通じて、代理応答用の特番の入力を受け付ける。ここで、代理応答用の特番とは、通常の電話番号とは異なる用途に用いられる番号である。
【００３２】
代理応答部２２０は、操作部２１０の操作を通じて代理応答用の特番が入力された場合、代理応答を行うＰＨＳ端末６０と呼び出しを行ったハンド形子機４０との間のコネクションの確立要求およびＰＨＳ端末６０をユニークに識別するための携帯端末情報をハンディナースコール主装置５０に送信する。そして、ハンディナースコール主装置５０は、ＰＨＳ端末６０の代理応答部２２０により送信されたコネクションの確立要求を受信することにより、代理応答を行うＰＨＳ端末６０と呼び出しを行ったハンド形子機４０との間のコネクションを確立する。そして、ハンディナースコール主装置５０は、ＰＨＳ端末６０がオフフックされたことを示す信号、応答したＰＨＳ端末６０から送信された携帯端末情報をナースコール親機１０のインタフェース部１１０に送信する。
【００３３】
次に、本実施形態におけるナースコール親機１０の動作について説明する。図３は、本実施形態によるナースコール親機１０の動作例を示すフローチャートである。図３における各処理は、患者がハンド形子機４０の呼出ボタンを押下して看護師の呼び出しを行った場合に、呼び出し対象のＰＨＳ端末６０が呼び出し音により呼び出された後のナースコール親機１０における処理内容を示している。なお、この時点において、看護師の呼び出しを行ったハンド形子機４０をユニークに識別するための子機情報が、廊下灯２０からインターフェース部１１０に入力され、子機情報取得部１４０は、インターフェース部１１０に入力された子機情報を取得している。
【００３４】
まず、応答検出部１２０は、看護師が患者からの呼び出しに応答するためにＰＨＳ端末６０をオフフックしたことを示す信号がインタフェース部１１０に入力されたか否かを判断する（ステップＳ１００）。もし、ＰＨＳ端末６０をオフフックしたことを示す信号がインタフェース部１１０に入力されていないと応答検出部１２０にて判断した場合（ステップＳ１００においてＮＯ）、ＰＨＳ端末６０をオフフックしたことを示す信号がインタフェース部１１０に入力されるまでステップＳ１００における判断処理を繰り返す。
【００３５】
一方、ＰＨＳ端末６０をオフフックしたことを示す信号がインタフェース部１１０に入力されたと応答検出部１２０にて判断した場合（ステップＳ１００においてＹＥＳ）、携帯端末情報取得部１３０は、ＰＨＳ端末６０がオフフックされたことを示す信号とは別にインターフェース部１１０に入力されたＰＨＳ端末６０の携帯端末情報を取得する（ステップＳ１２０）。
【００３６】
次に、応答検出部１２０は、ＰＨＳ端末６０がオフフックされたことを示す信号がインタフェース部１１０を介して応答検出部１２０に入力されたときの時刻を時計機能より取得する（ステップＳ１４０）。
【００３７】
最後に、情報記録部１７０は、携帯端末情報取得部１３０により取得された携帯端末情報に関連付けられている看護師情報と、子機情報取得部１５０により取得された子機情報に関連付けられている患者情報と、応答検出部１２０により取得された看護師による応答時刻（ＰＨＳ端末６０の操作時刻）とを互いに関連付けて応答履歴情報記憶部１８０に記録する（ステップＳ１６０）。これにより、ナースコール親機１０は、図３における処理を終了する。
【００３８】
以上詳しく説明したように、本実施形態では、患者がハンド形子機４０による呼び出しを行った場合、前述した患者を担当する看護師が所持するＰＨＳ端末６０の報知部２３０およびナースコール親機１０の報知部１００により呼び出し音が鳴る。これに対して、担当の看護師が自身のＰＨＳ端末６０の操作部２１０の操作を通じてオフフックの操作を行ったり、担当ではない看護師が自身のＰＨＳ端末６０の操作部２１０の操作を通じて代理応答用の特番を入力したりしたとき、ＰＨＳ端末６０の代理応答部２２０がＰＨＳ端末６０と呼び出しを行ったハンド形子機４０との間のコネクションの確立要求をハンディナースコール主装置５０に送信するようにしている。
【００３９】
このようにすれば、看護師の所持するＰＨＳ端末６０が、呼び出しを行った患者に対応付けられていない（呼び出し対象外）としても、当該看護師はその患者のハンド形子機４０からの呼び出しに対して代理応答することができる。
【００４０】
また、本実施形態では、看護師が、ハンド形子機４０による呼び出しに対して呼び出し対象のＰＨＳ端末６０で応答した場合および呼び出し対象外のＰＨＳ端末６０にて代理応答した場合、ＰＨＳ端末６０が携帯端末情報をハンディナースコール主装置５０を介してナースコール親機１０に送信し、その送信された携帯端末情報に関連付けられている看護師情報と、呼び出しを行ったハンド形子機４０の子機情報に関連付けられている患者情報と、看護師による応答時刻とを互いに関連付けて応答履歴情報記憶部１８０に記録するようにしている。
【００４１】
このようにすれば、携帯端末情報に対応するＰＨＳ端末６０は不特定多数の看護師によって操作されるものでないため、ナースコール親機１０の応答履歴情報記憶部１８０に記録される看護師情報から、応答した看護師が担当の看護師だけでなく代理応答した看護師も含めて特定されることとなる。これにより、ＰＨＳ端末６０で応答した看護師を特定することができる。さらに、子機情報と応答時刻も看護師情報に関連付けて記録することにより、どの看護師がどの患者に対していつ応答したのかを特定することができる。
【００４２】
なお、本実施形態では、ハンド形子機４０による呼び出しに対して、看護師がＰＨＳ端末６０にて応答（代理応答を含む）した場合、通常の応答をしたときと代理応答したときとを区別せずに、応答履歴情報を応答履歴情報記録部１８０に記録する例について説明したが、記録方法はこれに限定されない。例えば、看護師がＰＨＳ端末６０にて代理応答した場合、応答履歴情報記録部１８０に記録される応答履歴情報に代理応答したことを示すフラグ情報を含めてもよい。
【００４３】
具体的には、ハンド形子機４０による呼び出しに対して、呼び出し対象外のＰＨＳ端末６０で代理応答した場合、ハンディナースコール主装置５０は、代理応答を行うＰＨＳ端末６０と呼び出しを行ったハンド形子機４０との間のコネクションを確立するとともに、ＰＨＳ端末６０がオフフックされたことを示す信号、ＰＨＳ端末６０の携帯端末情報に加えて代理応答したことを示すフラグ情報をナースコール親機１０のインタフェース部１１０に送信する。そして、ナースコール親機１０において、応答検出部１２０がインタフェース部１１０に送信されたフラグ情報を取得し、情報記録部１７０が、応答検出部１２０により取得されたフラグ情報を応答履歴情報に含めて応答履歴情報記憶部１８０に記録する。
【００４４】
このようにすれば、例えば、表示制御部１９０は、代理応答がされたときの応答履歴情報と、通常の応答がされたときの応答履歴情報とを区別してディスプレイ２００に表示することが可能になる。これにより、応答履歴情報を参照した看護師は、その応答履歴情報が通常の応答がされたときのものなのか代理応答がされたときのものなのかについて容易に判断することができる。
【００４５】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００４６】
【図１】本実施形態によるナースコールシステムの全体構成例を示す図である。
【図２】本実施形態による応答履歴情報記憶部に記憶される情報の例を示す図である。
【図３】本実施形態によるナースコール親機の動作例を示すフローチャートである。
【符号の説明】
【００４７】
１０  ナースコール親機
３０  壁埋込形子機
４０  ハンド形子機
５０  ハンディナースコール主装置
６０  ＰＨＳ端末
１２０  応答検出部
１３０  携帯端末情報取得部
１４０  看護師情報記憶部
１５０  子機情報取得部
１６０  患者情報記憶部
１７０  情報記録部
１８０  応答履歴情報記憶部
２１０  操作部
２２０  代理応答部
【図１】
2008236338.tif 000003
【図２】
2008236338.tif 000004
【図３】
2008236338.tif 000005